(57)【要約】【課題】ハウジングの一方の側縁部に端子が配列されているコネクタに、自動実装を可能とする吸着部を設けることを目的とする。【解決手段】回路基板上に取りつけられる電気コネクタ１であって、回路基板の面に沿って直状に延びるハウジングの長手方向をなす二つの側縁部のうちの一方の側縁部側に端子２０が配列され、回路基板と接続されるための該端子の接続部２３が上記一方の側縁部から外側に延出している回路基板用電気コネクタにおいて、他方の側縁部でのハウジング１１の上面を外側に延長して張出す面を吸着部４０として設けた。【選択図】図１
2007115579.tif 000002
【特許請求の範囲】
【請求項１】
回路基板上に取りつけられる電気コネクタであって、回路基板の面に沿って直状に延びるハウジングの長手方向をなす二つの側縁部のうちの一方の側縁部側に端子が配列され、回路基板と接続されるための該端子の接続部が上記一方の側縁部から外側に延出している回路基板用電気コネクタにおいて、他方の側縁部でのハウジング上面を外側に延長して張出す面を吸着部として設けたことを特徴とする回路基板用電気コネクタ。
【請求項２】
吸着部はハウジングの長手方向の中央部に設けられていることとする請求項１に記載の回路基板用電気コネクタ。
【請求項３】
吸着部はハウジングの長手方向の両端位置に補助吸着部材を取付けるための取付部が設けられていることとする請求項１又は請求項２に記載の回路基板用電気コネクタ。
【発明の詳細な説明】
【技術分野】
【０００１】
本発明は、回路基板に取りつけられる電気コネクタ、特に、回路基板の面に沿って直状に延びるコネクタに関する。
【背景技術】
【０００２】
この種のコネクタとしては、添付図面の図７に示されるようなコネクタが知られている。
【０００３】
この図７におけるコネクタ５０は、直状に長く延びるハウジング５１の長手方向に延びる二つの側縁部の一方の側縁部側に端子５２が上記長手方向に定間隔で複数設けられている。この端子５２は、ハウジング５１に形成された上方に開口せる嵌合凹部５３の一つの内側面に接触部５２Ａを有し、上記嵌合凹部５３に相手コネクタ（図示せず）が嵌合されたとき上記接触部５２Ａが相手端子と接触するようになっている。さらに、上記端子５２は配列された上記一方の側縁部から外方に延出して回路基板との接続のための接続部（図示せず）を有している。
【０００４】
一方、ハウジング５１の他方の側縁部５１Ａは、上記嵌合凹部５３の形成のための側壁部を形成するためのものであり、然程壁厚は大きくない。したがってその上面の幅は狭い。
【特許文献１】発見できず
【発明の開示】
【発明が解決しようとする課題】
【０００５】
回路基板用コネクタは、回路基板への配置の際、自動実装機によってコネクタの待機位置から回路基板上の所定位置へもたらされることが多い。自動実装機は吸着手段を有していて、コネクタを吸着して上記所定位置までもたらす。
【０００６】
例えば、図７のコネクタを上記他方の側縁部に対して対称にもう一列端子を配し、二列の端子を有するように構成されたコネクタの場合には、二列の端子間の隔壁部が、コネクタの構造上、その上面を比較的広くとれるので、この上面を吸着部として上記自動実装機により所定位置までもたらすことができる。
【０００７】
しかしながら、図７のコネクタのように一方の側縁部にのみ端子が配列されているコネクタでは、一方の側縁部では端子が障害となって吸着部を設けられないし、他方の側縁部では上面に吸着に十分な面積を確保できない。したがって、自動実装ができないという不自由さがあった。
【０００８】
本発明は、片側にのみ端子が配列されているコネクタであっても、自動実装を可能とする回路基板用電気コネクタを提供することを目的とする。
【課題を解決するための手段】
【０００９】
本発明は、回路基板上に取りつけられる電気コネクタであって、回路基板の面に沿って直状に延びるハウジングの長手方向をなす二つの側縁部のうちの一方の側縁部側に端子が配列され、回路基板と接続されるための該端子の接続部が上記一方の側縁部から外側に延出している回路基板用電気コネクタに関する。
【００１０】
かかる回路基板用電気コネクタにおいて、本発明は、他方の側縁部でのハウジング上面を外側に延長して張出す面を吸着部として設けたことを特徴としている。
【００１１】
このような構成の本発明によれば、端子が配列されていない側のハウジング側縁部を利用して吸着部を形成することができ、自動実装を可能とする。
【００１２】
本発明においては、吸着部は、ハウジングの少なくとも、長手方向中央部に形成されていれば十分である。
【００１３】
さらに、好ましくは、本発明では、上記吸着部に補助吸着部材を取りつけるための取付部を有し、自動機による必要吸着面積に対応する。
【発明の効果】
【００１４】
本発明は、以上のように直状に延びる回路基板用電気コネクタにおいて、一方の側縁部にのみ端子が配列されているものであっても、端子が配列されていない他方の側縁部を利用して、該他方の側縁の上面を外方に延出させて、ここに吸着部を形成することができ、その結果、コネクタの自動実装を可能とする。
【発明を実施するための最良の形態】
【００１５】
以下、添付図面の図１ないし図６にもとづき、本発明に係る回路基板用電気コネクタの一実施形態を説明する。
【００１６】
図１は本実施形態のコネクタの全体を示す斜視図、図２はその平面図を示し、両図において、コネクタに取りつけられたグランド板はコネクタの長手方向左半分で図示が省略されている。
【００１７】
このコネクタ１は、回路基板（図示せず）上に配設されるようになっており、図示のごとく左右に長く延びている。このコネクタ１は、コネクタ本体１０に選択的にグランド板３０が取りつけられて成っている。
【００１８】
コネクタ本体１０は、電気絶縁材料で作られた左右に長く延びるハウジング１１の長手方向に位置する両外側面１２，１３のうちの一方の外側面１２の側に複数の端子２０が定間隔で植設されている。
【００１９】
上記ハウジング１１は、上記長手方向両端近傍にまで及んで上方に開口する嵌合凹部１４が形成されていて、この嵌合凹部１４を形成する周壁のうち、上記長手方向に延びる一方の側壁部１５に端子２０が配列されている。上記嵌合凹部１４は、上記長手方向に直角方向である幅方向中央部に位置しており、図２におけるIII-III線断面図を示す図３にも見られるように、ハウジング１１に薄い底壁１１Ａを残す程度まで深く形成されている。上記嵌合凹部１４は、図３にて、上方開口１４Ａの位置から上記底壁１１Ａの上面たる底部１４Ｂに至る上下範囲で、上記一方の側壁部１５側の内側面１４Ｃから没入した収容溝１６が端子に対応した位置に形成されている。この収容溝１６は、後述の端子の弾性腕部の殆どの部分を収容する没入深さとなっている。上記側壁部１５の上端面そして外側面にも、上記収容溝１６につながる浅い溝１７が形成されている。
【００２０】
上記収容溝１６そして溝１７でハウジング１１へ取りつけられる端子２０は、金属の細い板帯体を板面に対して屈曲形成されており、その板面に対して直角な面での断面形状が、図３に見られるように、略Ｓ字状をなしている。この端子は、逆Ｕ字状部分とＵ字状部分とを連続して有することにより、全体として略Ｓ字状をなしている。図３において、端子２０は、逆Ｕ字状をなす嵌着部２１と、これにつながりＵ字状をなす弾性腕部２２と、上記嵌着部２１の下端部から延出する接続部２３とを有している。
【００２１】
上記嵌着部２１は、上方から収容溝１６へ圧力嵌めされて、端子２０をハウジング１１に固定保持させる。ハウジング１１外で該嵌着部２１の下端から横方向に屈曲され延出された接続部２３は、ハウジング１１の底面と同レベルにあり、コネクタが回路基板上に配されたとき、該回路基板の対応回路部と接面するようになっている。
【００２２】
弾性腕部２２は、上記収容溝１６に嵌着されている上記嵌着部２１の下部から屈曲して上方に向け延びており、この部分を可撓とする弾性を有している。この弾性腕部２２の上端側たる自由端部は、上記収容溝１６外に向け凸状弯曲せられた接触部２２Ａを有している。この接触部２２Ａは、上記嵌合凹部１４の内部へ向け内側面１４Ｃから若干突出していて、該嵌合凹部１４へ相手コネクタが嵌合されたときには、相手コネクタから押圧力を受けて収容溝１６の内方へ向け内側面１４Ｃの位置まで弾性変位する。
【００２３】
ハウジング外側面部分で上記端子２０は嵌着部２１が溝１７に収められている部分が、該溝１７の開口縁よりも若干突出していて、相手コネクタの端子と接触する副接触部２１Ａを形成し、好ましい形態として、相手コネクタとの接触を確実ならしめかつロックの機能をもたらす突部２１Ａ１が形成されている。
【００２４】
上記ハウジング１１は、その長手方向両端部に、図２におけるIV-IV線断面を示す図４に見られるようなグランド板取付部１１Ｂを有している。このグランド板取付部１１Ｂに取付けられるグランド板３０は、例えば、一枚の金属板を抜き加工そして屈曲加工して作られており、図１、図２にも見られるように、ハウジング１１のそれぞれの外側面１２，１３に沿って位置するグランド本体部３１，３２と、上記グランド本体部３１，３２と取付部３３とを連結する連結部３４，３５とを有している。この連結部３４，３５は、上記ハウジング１１の長手方向両端部位置で回路基板に接面するように、グランド板取付部１１Ｂに取りつけられる取付部３３の下部と、グランド本体部３１，３２の下部とで両者を連結している。この実施形態では、連結部３５には取付孔３６が形成されている。
【００２５】
上記グランド本体部３１は、ハウジング１１の他方の外側面１３とほぼ平行な面を有し、上記外側面１３との間に間隔を有している。このグランド本体部３１の上縁は上記ハウジング１１の上面とほぼ同じレベルにあり、上記長手方向両端部においてのみ該グランド本体部３１の上縁から上方に弯曲突出部３１Ａが設けられている。したがって、グランド本体部３１の上記上縁は、相手コネクタが嵌合した際に、このグランド本体部３１の側で相手コネクタから水平方向に延出するケーブルとは干渉しない。すなわち、上記上縁がハウジング１１の上面位置にあるので、その上方位置での上記ケーブルの延出を許容する。しかしながら、グランド板によるシールド効果をさらに向上させるためには、ケーブルが延出する位置でのみ切欠部を形成して、上縁をさらに上方まで、例えば、上記弯曲突部を上記切欠部位置を除いて長手方向全範囲に形成することとしてもよい。
【００２６】
グランド本体部３２は、上記グランド本体部３１における場合と同様に、ハウジング１１の一方の外側面１２とほぼ平行な面を有し、該外側面１２との間に間隔を形成している。この間隔は、グランド本体部３１の場合の間隔よりも、大きく設定されている。このグランド本体部３２とハウジング１１の外側面１２との間の間隔に、上記端子２０の接続部２３が位置している。グランド本体部３２と取付部３３とは、上記長手方向両端部、すなわち同方向で端子不在域で連結部３５により連結されているので、グランド本体部３２と、取付部３３との間は空間をなしていて、上記接続部２３は回路基板の対応回路部と接面することが可能となっている。上記グランド本体部３２は、その上縁で、内方（ハウジング側）に向けた二種の屈曲部３２Ａ．３２Ｂを上記長手方向で交互に有している。一方の屈曲部３２Ａは幅広で、他方の屈曲部３２Ｂは幅狭である。この他方の屈曲部３２Ｂは、一方の屈曲部３２Ａよりも内方に向っていて、斜めに延びて弾性舌片を形成し、該弾性舌片は、相手コネクタの嵌合時に、相手グランド板に対して弾圧接触する接触部を形成している。
【００２７】
上記取付部３３は、ハウジング１１の長手方向両端部に設けられたグランド板取付部１１Ｂに嵌着されるように、図４にみられるごとく、逆Ｕ字状をなしている。この逆Ｕ字の取付部３３の外面は、相手コネクタの対応せる係合部が上方から嵌められて係合する部位ともなっている。このような取付部３３は、その両方の肩部外面にロック部を有している。このロック部は突起状をなし、相手コネクタのケーブルが延出する側に位置する主ロック部３７Ａと、これとは反対側に位置する副ロック部３７Ｂとから成っている。主ロック部３７Ａの突出量は副ロック部３７Ｂの突出量よりも大きい。すなわち、相手コネクタへの対応ロック部との係合量が、主ロック部３７Ａの方で大きく設定されている。この突出量の差は、相手コネクタがケーブルをもち上げる力によって外されようとするときに、相手コネクタから受ける力の大きさの差に比例して設定される。
【００２８】
上記ハウジング１１は、他方の外側面１３の側で、ハウジング１１の長手方向中央位置に、吸着部４０を有している。この吸着部４０は、コネクタを回路基板上の所定位置へ自動機により実装配置される際に、自動機の吸着部材により吸着される部位を形成し、上面４０Ａが、ハウジングの上面と同レベル面をなしハウジングの幅方向に突出している。この突出した吸着部４０の側面４０Ｂは、記述したグランド本体部３１に至近している。上記吸着部４０の上面には、上記長手方向両端位置に補助吸着部材の取付けのための取付孔４１が形成されている。上記吸着部４０の上面４０Ａのみでは、自動機に対応できないときに、吸着面を拡大するための補助吸着部材を上記取付孔４１にて取付ける。吸着部４０は相手コネクタの幅範囲内に設けられるのが好ましい。
【００２９】
このような本実施形態のコネクタに嵌合される相手コネクタは、図６に示されているように構成される。図６はこの相手コネクタが嵌合された本実施形態のコネクタの使用状態を示す図であり、図６（Ａ）は本実施形態のコネクタがグランド板なしで用いられたとき、図６（Ｂ）はグランド板付きとして用いられたときを示す。
【００３０】
図６（Ａ）において、二点鎖線で示されるケーブル付き相手コネクタＣの、絶縁体とグランド板Ｃ１の一部との間で保持されている同軸ケーブルＣ２は横方向で右方へ延びている。ケーブルＣ２の中心導体Ｃ３は端子Ｃ４に結線されている。該端子は逆Ｕ字状部とＵ字状部とを備え全体として略Ｓ字状をなしている。コネクタの外側には上記グランド板Ｃ１が取りつけられており、該グランド板Ｃ１は、コネクタの上面と、ケーブル延出側の側面を除く外側面とを覆っている。かかる相手コネクタＣは、上記端子Ｃ４の逆Ｕ字状部分の内部に本実施形態のコネクタの端子２０を受入れ、端子Ｃ４のＵ字状部分が本実施形態のコネクタの嵌合凹部１４へ入り込む。
【００３１】
このような本実施形態のコネクタは、次の要領で使用される。
【００３２】
先ず、自動機の吸着部材により、コネクタ１の吸着部４０（吸着面４０Ａ）にて該コネクタ１を吸着し、これを回路基板上の所定位置へもたらす。しかる後、端子の接続部２３が半田により回路基板の対応回路部と接続される。コネクタ１は、グランド板３０が取つけられている状態と、グランド板なし（相手グランドを基板に接続させる部分のみ有する）の状態と、いずれでも使用可能である。グランド板３０は、コネクタの回路基板への配置の前後のいずれにおいても取付け可能である。グランド板３０の使用時には、図４に示される取付孔３６にて、半田等により回路基板へ固定しておくとよい。
【００３３】
次に、図６（Ａ），（Ｂ）に見られるように、相手コネクタＣをコネクタ１へ嵌合する。相手コネクタＣの端子Ｃ４は、その逆Ｕ字状部分でコネクタ１の端子２０をかかえ込むようにして接触する。すなわち、端子Ｃ４は、逆Ｕ字状部分の一方の直線部でコネクタ１の端子２０の副接触部２１Ａと接触すると共に、対向せる他方の直線部分で接触部２２Ａを弾圧する。この接触部２２Ａは弾圧されて収容溝１６内へ没する。また、相手コネクタの端子Ｃ４のＵ字状部分は、嵌合凹部１４の底部まで進入する。すなわち、この端子Ｃ４のＵ字状部分は、コネクタ１の端子の弾性腕1部２２とほぼ同一位置まで下方に進入する。その結果、接触部２２Ａと接触する上記直線部分は嵌合過程での接触路長が長くなると共に、嵌合時の両コネクタの高さを小さく抑えることができる。
【００３４】
コネクタ１にグランド板３０が取付けられているときには、図６（Ｂ）に見られるように、グランド本体部３１，３２がコネクタ１の長手方向に延びる広い範囲で側方から該コネクタ１を覆う。上方では、相手コネクタＣのグランド板Ｃ１が両コネクタＣ，１を覆う。コネクタ１のグランド板３０は、弾性舌片として形成された接触部３２Ｂが相手コネクタＣのグランド板Ｃ１と接触しここで互いに導通される。
【００３５】
相手コネクタＣから延出するケーブルＣ２は、グランド本体部３１の上縁の上方を経てグランド板と干渉することなく、引き出される。
【００３６】
相手コネクタＣは、図示しないロック部がコネクタ１の突起状のロック部３７Ａ，３７Ｂと係合し、コネクタ同士の不用意な抜けが防止される。ケーブルＣ２が意図しない力を上方に受けたときには、図５に見られるように、該ケーブルＣ２に近い方のロック部３７Ａが対向せるロック部３７Ｂに比し大きな力を受ける。しかし、ロック部３７Ａはロック部３７Ｂよりも係止量が大きいので、上述のような力の配分に応じて適切にコネクタの外れに対坑できる。
【００３７】
相手コネクタＣを離脱の際は、ロック部３７Ｂ側より治具を用いて行うのが好ましい。又、本発明では、グランド板３０の長手方向両端に設けられているが、ハウジング１１に設けられても良い。相手コネクタのロック部が相手グランド板に設けられていれば、グランド板３０に設けられたロック部３７Ａ，３７Ｂと導通し、なお良い。
【図面の簡単な説明】
【００３８】
【図１】本発明の一実施形態としてのグランド板付きコネクタの斜視図であり、コネクタの長手方向左半分でグランド板の図示を省略した図である。
【図２】図１のコネクタの平面図であり、図１と同様に、コネクタの長手方向左半分でグランド板の図示を省略している。
【図３】図２におけるIII−III線断面図である。
【図４】図２におけるIV-IV線断面図である。
【図５】図１のコネクタを相手コネクタと共に示す側面図である。
【図６】図１のコネクタを相手コネクタの嵌合時で示す端子位置における断面図であり（Ａ）はグランド板なし、（Ｂ）はグランド板付きの状態である。
【図７】従来のコネクタの斜視図である。
【符号の説明】
【００３９】
１  コネクタ                    
１１  ハウジング                
２０  端子                        
４０  吸着部
４１  取付部      
【図１】
2007115579.tif 000003
【図２】
2007115579.tif 000004
【図３】
2007115579.tif 000005
【図４】
2007115579.tif 000006
【図５】
2007115579.tif 000007
【図６】
2007115579.tif 000008
【図７】
2007115579.tif 000009